【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
ビットストリームの中のビデオ情報をコード化するための装置であって、
複数のピクチャのうちの現在ピクチャを含む現在レイヤ、および前記現在レイヤとは異なるベースレイヤに関連するビデオ情報を記憶するように構成されたメモリと、
前記メモリと通信するプロセッサと、
を備え、前記プロセッサは、
前記現在ピクチャが、（ｉ）前記ベースレイヤ中にあり、（ｉｉ）特定のフラグ値に関連するイントラランダムアクセスポイント（ＩＲＡＰ）ピクチャに後続する現在レイヤ中の最初のピクチャであるかどうかを決定することと、
前記現在ピクチャが、（ｉ）前記ベースレイヤ中にあり、（ｉｉ）前記特定のフラグ値に関連するＩＲＡＰピクチャに後続する前記現在レイヤ中の最初のピクチャでないことに基づいて、前記複数のピクチャのそれぞれのピクチャ順序カウント（ＰＯＣ）を、前記それぞれのＰＯＣの最高ＰＯＣと前記それぞれのＰＯＣの最低ＰＯＣとの間の差分が閾値よりも小さくなるように信号伝達することと
を行うように構成される、装置。
【請求項２】
前記プロセッサが、前記現在ピクチャが、前記現在ピクチャに復号順序において後続するが、参照のために前記現在ピクチャに復号順序において先行するピクチャを使用し得る、いかなるピクチャも出力されるべきでないことを示すフラグに関連するＩＲＡＰピクチャでないという決定に基づいて、前記最高ＰＯＣと前記最低ＰＯＣとの間の前記差分が前記閾値よりも小さくなるように、前記それぞれのＰＯＣを信号伝達するようにさらに構成される、請求項１に記載の装置。
【請求項３】
前記プロセッサが、前記現在ピクチャのＰＯＣの最上位ビット（ＭＳＢ）がシグナリングされるべきでなく、前記現在ピクチャが、前記現在ピクチャに復号順序において後続するが、参照のために前記現在ピクチャに復号順序において先行するピクチャを使用し得る、いかなるピクチャも出力されるべきでないことを示すフラグに関連するＩＲＡＰピクチャでないという決定に基づいて、前記最高ＰＯＣと前記最低ＰＯＣとの間の前記差分が前記閾値よりも小さくなるように、前記それぞれのＰＯＣを信号伝達するようにさらに構成される、請求項１に記載の装置。
【請求項４】
前記複数のピクチャが、前記現在ピクチャと同じアクセス単位（ＡＵ）中にない少なくとも１つのピクチャを含む、請求項１に記載の装置。
【請求項５】
前記複数のピクチャが、前記現在ピクチャに復号順序において先行し、０に等しい時間ＩＤ値を有し、ランダムアクセススキップド進み（ＲＡＳＬ）ピクチャ、ランダムアクセス復号可能進み（ＲＡＤＬ）ピクチャ又はサブレイヤ非参照ピクチャでない、１つ以上のピクチャを含む、請求項１に記載の装置。
【請求項６】
前記複数のピクチャが、前記現在ピクチャの短期参照ピクチャを含む、請求項１に記載の装置。
【請求項７】
前記複数のピクチャが、前記現在ピクチャに復号順序において先行するとともにそれぞれ前記ピクチャが出力されるべきことを示すフラグに関連する全てのピクチャを含む、請求項１に記載の装置。
【請求項８】
前記プロセッサが、前記現在ピクチャが、（ｉ）前記ベースレイヤ中にあり、前記特定のフラグ値に関連する前記ＩＲＡＰピクチャに後続する前記現在レイヤ中の前記最初のピクチャ、又は（ｉｉ）前記現在ピクチャに復号順序において後続するが、参照のために前記現在ピクチャに復号順序において先行するピクチャを使用し得る、いかなるピクチャも出力されるべきでないことを示すフラグに関連するＩＲＡＰピクチャ、のどちらかであるという決定に基づいて、前記複数のピクチャの前記最高ＰＯＣと前記最低ＰＯＣとの間の前記差分が前記閾値よりも小さいかどうかを決定することを控えるようにさらに構成される、請求項１に記載の装置。
【請求項９】
前記プロセッサが、第５のピクチャに復号順序において後続するか又は前記第５のピクチャと同じアクセス単位（ＡＵ）の中にあるかのどちらかであり、条件を満たしている現在ＡＵに復号順序において先行し、前記第５のピクチャに復号順序において後続するか又は前記第５のピクチャと同じＡＵの中にあるかのどちらかであり前記現在ＡＵに復号順序において先行する第４のピクチャの復号ピクチャバッファ（ＤＰＢ）出力時間よりも大きいＤＰＢ出力時間を有するところの第３のピクチャが、前記第４のピクチャのＰＯＣよりも大きいＰＯＣを有するかどうかを決定するようにさらに構成される、請求項１に記載の装置。
【請求項１０】
前記第３及び第４のピクチャが前記現在レイヤに属し、前記第３のピクチャが前記第４のピクチャに復号順序において先行する、請求項９に記載の装置。
【請求項１１】
前記プロセッサが、
前記第４のピクチャを復号することと、
前記第４のピクチャを復号した直後に、前記第４のピクチャのＤＰＢ出力時間よりも大きいＤＰＢ出力時間を有する、前記現在レイヤの中の前記第３のピクチャが、前記第４のピクチャのＰＯＣよりも大きいＰＯＣを有するかどうかを決定することと
を行うようにさらに構成される、請求項９に記載の装置。
【請求項１２】
前記プロセッサが、
前記第４のピクチャを復号することと、
前記第４のピクチャに復号順序において後続する、前記現在レイヤの中の１つ以上の他のピクチャを復号することと、
前記第４のピクチャのＤＰＢ出力時間よりも大きいＤＰＢ出力時間を有する、前記現在レイヤの中の前記第３のピクチャが、前記第４のピクチャのＰＯＣよりも大きいＰＯＣを有するかどうかを決定することを控えることと
を行うようにさらに構成される、請求項９に記載の装置。
【請求項１３】
前記プロセッサが、前記現在ピクチャと同じアクセス単位（ＡＵ）の中の第６のピクチャの復号ピクチャバッファ（ＤＰＢ）出力時間が、前記現在ピクチャのＤＰＢ出力時間から離れた閾値よりも小さいかどうかを決定することを控えるようにさらに構成される、請求項１に記載の装置。
【請求項１４】
ビットストリームの中のビデオ情報をコード化するための方法であって、
現在レイヤの中にある複数のピクチャのうちの現在ピクチャを含む現在ＡＵが、（ｉ）ベースレイヤ中にあり、（ｉｉ）特定のフラグ値に関連するイントラランダムアクセスポイント（ＩＲＡＰ）ピクチャに後続する前記現在レイヤ中の最初のピクチャであるかどうかを決定することと、ここにおいて、前記ベースレイヤは、前記現在レイヤとは異なる、
前記現在ピクチャが、（ｉ）前記ベースレイヤ中にあり、（ｉｉ）前記特定のフラグ値に関連するＩＲＡＰピクチャに後続する前記現在レイヤ中の最初のピクチャでないという決定に基づいて、前記複数のピクチャのそれぞれのピクチャ順序カウント（ＰＯＣ）を、前記それぞれのＰＯＣの最高ＰＯＣと前記それぞれのＰＯＣの最低ＰＯＣとの間の差分が閾値よりも小さくなるように信号伝達することと、
前記ビットストリームの中の前記現在ＡＵに関連するシンタックス要素をコード化することと
を備える方法。
【請求項１５】
前記現在ピクチャが、前記現在ピクチャに復号順序において後続するが、参照のために前記現在ピクチャに復号順序において先行するピクチャを使用する、いかなるピクチャも出力されるべきでないことを示すフラグに関連するＩＲＡＰピクチャでないという決定に基づいて、前記最高ＰＯＣと前記最低ＰＯＣとの間の前記差分が前記閾値よりも小さくなるように、前記それぞれのＰＯＣを信号伝達することをさらに備える、請求項１４に記載の方法。
【請求項１６】
前記現在ピクチャのＰＯＣの最上位ビット（ＭＳＢ）がシグナリングされるべきでなく、前記現在ピクチャが、前記現在ピクチャに復号順序において後続するが、参照のために前記現在ピクチャに復号順序において先行するピクチャを使用し得る、いかなるピクチャも出力されるべきでないことを示すフラグに関連するＩＲＡＰピクチャでないという決定に基づいて、前記最高ＰＯＣと前記最低ＰＯＣとの間の前記差分が前記閾値よりも小さくなるように、前記それぞれのＰＯＣを信号伝達することをさらに備える、請求項１４に記載の方法。
【請求項１７】
前記複数のピクチャが、前記現在ピクチャと同じアクセス単位（ＡＵ）中にない少なくとも１つのピクチャを含む、請求項１４に記載の方法。
【請求項１８】
前記複数のピクチャが、前記現在ピクチャに復号順序において先行し、０に等しい時間ＩＤ値を有し、ランダムアクセススキップド進み（ＲＡＳＬ）ピクチャ、ランダムアクセス復号可能進み（ＲＡＤＬ）ピクチャ又はサブレイヤ非参照ピクチャでない、１つ以上のピクチャを含む、請求項１４に記載の方法。
【請求項１９】
前記複数のピクチャが、前記現在ピクチャの短期参照ピクチャを含む、請求項１４に記載の方法。
【請求項２０】
前記複数のピクチャが、前記現在ピクチャに復号順序において先行するとともにそれぞれ前記ピクチャが出力されるべきことを示すフラグに関連する全てのピクチャを含む、請求項１４に記載の方法。
【請求項２１】
前記現在ピクチャが、（ｉ）前記ベースレイヤ中にあり、前記特定のフラグ値に関連する前記ＴＲＡＰピクチャに後続する前記現在レイヤ中の最初のピクチャ、又は（ｉｉ）前記現在ピクチャに復号順序において後続するが、参照のために前記現在ピクチャに復号順序において先行するピクチャを使用し得る、いかなるピクチャも出力されるべきでないことを示すフラグに関連するＩＲＡＰピクチャ、のどちらかであるという決定に基づいて、前記複数のピクチャの前記最高ＰＯＣと前記最低ＰＯＣとの間の前記差分が前記閾値よりも小さいかどうかを決定することを控えることをさらに備える、請求項１４に記載の方法。
【請求項２２】
第５のピクチャに復号順序において後続するか又は前記第５のピクチャと同じアクセス単位（ＡＵ）の中にあるかのどちらかであり、条件を満たしている現在ＡＵに復号順序において先行し、前記第５のピクチャに復号順序において後続するか又は前記第５のピクチャと同じＡＵの中にあるかのどちらかであり前記現在ＡＵに復号順序において先行する第４のピクチャの復号ピクチャバッファ（ＤＰＢ）出力時間よりも大きいＤＰＢ出力時間を有するところの第３のピクチャが、前記第４のピクチャのＰＯＣよりも大きいＰＯＣを有するかどうかを決定することをさらに備える、請求項１４に記載の方法。
【請求項２３】
前記第３及び第４のピクチャが前記現在レイヤに属し、前記第３のピクチャが前記第４のピクチャに復号順序において先行する、請求項２２に記載の方法。
【請求項２４】
前記第４のピクチャを復号することと、
前記第４のピクチャを復号した直後に、前記第４のピクチャのＤＰＢ出力時間よりも大きいＤＰＢ出力時間を有する、前記現在レイヤの中の前記第３のピクチャが、前記現在ピクチャのＰＯＣよりも大きいＰＯＣを有するかどうかを決定することと
をさらに備える、請求項２２に記載の方法。
【請求項２５】
前記第４のピクチャを復号することと、
前記第４のピクチャに復号順序において後続する、前記現在レイヤの中の１つ以上の他のピクチャを復号することと、
前記第４のピクチャのＤＰＢ出力時間よりも大きいＤＰＢ出力時間を有する、前記現在レイヤの中の前記第３のピクチャが、前記第４のピクチャのＰＯＣよりも大きいＰＯＣを有するかどうかを決定することを控えることと
をさらに備える、請求項２２に記載の方法。
【請求項２６】
前記現在ピクチャと同じアクセス単位（ＡＵ）の中の第６のピクチャの復号ピクチャバッファ（ＤＰＢ）出力時間が、前記現在ピクチャのＤＰＢ出力時間から離れた閾値よりも小さいかどうかを決定することを控えることをさらに備える、請求項１４に記載の方法。
【請求項２７】
実行されたとき、装置に、
複数のピクチャのうちの現在ピクチャを含む現在レイヤ、および前記現在レイヤとは異なるベースレイヤに関連するビデオ情報を記憶することと、
前記現在ピクチャが、（ｉ）前記ベースレイヤ中にあり、（ｉｉ）特定のフラグ値に関連するイントラランダムアクセスポイント（ＩＲＡＰ）ピクチャに後続する前記現在レイヤ中の最初のピクチャであるかどうかを決定することと、
前記現在ピクチャが、（ｉ）前記ベースレイヤ中にあり、（ｉｉ）前記特定のフラグ値に関連するＩＲＡＰピクチャに後続する前記現在レイヤ中の最初のピクチャでないという決定に基づいて、前記複数のピクチャのそれぞれのピクチャ順序カウント（ＰＯＣ）を、前記それぞれのＰＯＣの最高ＰＯＣと前記それぞれのＰＯＣの最低ＰＯＣとの間の差分が閾値よりも小さくなるように信号伝達することと
を行わせるコードを備える非一時的コンピュータ可読媒体。
【請求項２８】
前記コードが、前記装置に、第５のピクチャに復号順序において後続するか又は前記第５のピクチャと同じアクセス単位（ＡＵ）の中にあるかのどちらかであり、条件を満たしている現在ＡＵに復号順序において先行し、前記第５のピクチャに復号順序において後続するか又は前記第５のピクチャと同じＡＵの中にあるかのどちらかであり前記現在ＡＵに復号順序において先行する第４のピクチャの復号ピクチャバッファ（ＤＰＢ）出力時間よりも大きいＤＰＢ出力時間を有するところの第３のピクチャが、前記第４のピクチャのＰＯＣよりも大きいＰＯＣを有するかどうかをさらに決定させる、請求項２７に記載のコンピュータ可読媒体。
【請求項２９】
ビットストリームの中のビデオ情報をコード化するように構成されたビデオコード化機器であって、
複数のピクチャのうちの現在ピクチャを含む現在レイヤ、および前記現在レイヤとは異なるベースレイヤに関連するビデオ情報を記憶するための手段と、
前記現在ピクチャが、（ｉ）前記ベースレイヤ中にあり、（ｉｉ）特定のフラグ値に関連するイントラランダムアクセスポイント（ＩＲＡＰ）ピクチャに後続する前記現在レイヤ中の最初のピクチャであるかどうかを決定するための手段と、
前記現在ピクチャが、（ｉ）前記ベースレイヤ中にあり、（ｉｉ）前記特定のフラグ値に関連するＩＲＡＰピクチャに後続する前記現在レイヤ中の最初のピクチャでないという決定に基づいて、前記複数のピクチャのそれぞれのピクチャ順序カウント（ＰＯＣ）を、前記それぞれのＰＯＣの最高ＰＯＣと前記それぞれのＰＯＣの最低ＰＯＣとの間の差分が閾値よりも小さくなるように信号伝達するための手段と
を備えるビデオコード化機器。
【請求項３０】
第５のピクチャに復号順序において後続するか又は前記第５のピクチャと同じアクセス単位（ＡＵ）の中にあるかのどちらかであり、条件を満たしている現在ＡＵに復号順序において先行し、前記第５のピクチャに復号順序において後続するか又は前記第５のピクチャと同じＡＵの中にあるかのどちらかであり前記現在ＡＵに復号順序において先行する第４のピクチャの復号ピクチャバッファ（ＤＰＢ）出力時間よりも大きいＤＰＢ出力時間を有するところの第３のピクチャが、前記第４のピクチャのＰＯＣよりも大きいＰＯＣを有するかどうかを決定するための手段をさらに備える、請求項２９に記載のビデオコード化機器。
【手続補正２】
【補正対象書類名】明細書
【補正対象項目名】０１５３
【補正方法】変更
【補正の内容】
【０１５３】
[0167]現在ＡＵが条件を満たしていないとコーダが決定する場合、方法７００はブロック７１０に進む。現在ＡＵが条件を満たしているとコーダが決定する場合、方法７００はブロック７１５に進む。ブロック７１０において、コーダは、ＤＰＢの中のピクチャの最高ＰＯＣと最低ＰＯＣとの間の差分が閾値よりも小さいかどうかを決定する。例えば、ピクチャは、（ｉ）現在ピクチャ、（ｉｉ）０に等しいＴｅｍｐｏｒａｌＩｄ値を有するとともにＲＡＳＬピクチャ、ＲＡＤＬピクチャ又はサブレイヤ非参照ピクチャでない復号順序における前のピクチャ、（ｉｉｉ）現在ピクチャのＲＰＳの中の短期参照ピクチャ及び／又は（ｉｖ）１に等しいＰｉｃＯｕｔｐｕｔＦｌａｇ値を有し、現在ピクチャに復号順序において先行し、出力順序において現在ピクチャを継承するピクチャを含み得る。ブロック７１５において、コーダは、ＤＰＢの中のピクチャの最高ＰＯＣと最低ＰＯＣとの間の差分が閾値よりも小さいかどうかを決定することを控える。例えば、ビットストリーム適合制約は、接合点を越えてピクチャに適用されない。別の例では、ビットストリーム適合制約は、１に等しいＮｏＲａｓｌＯｕｔｐｕｔＦｌａｇ値を有するＩＲＡＰピクチャであるか又は０よりも大きいｎｕｈ＿ｌａｙｅｒ＿ｉｄを有するとともに、０に等しいｎｕｈ＿ｌａｙｅｒ＿ｉｄ値を有し１に等しいＮｏＣｌｒａｓＯｕｔｐｕｔＦｌａｇ値を有するＩＲＡＰピクチャに後続する、現在レイヤの最初のピクチャであるピクチャに適用されない。ブロック７２０において、コーダは、ビットストリームの中の現在ＡＵに関連するシンタックス要素をコード化する（例えば、符号化する、又は復号する）。方法７００は、７２５において終了する。